(57)【要約】【課題】回動させる動作のみで表示モニタをカメラ本体の第１の面から第２の面へ移動させることができるようにすること。【解決手段】撮像装置の外装ケース２は、角部２ｇを形成する上面２ｃ及び後面２ｂを有している。モニタ移動機構５は、表示モニタ３を支持するモニタ支持部４１と、モニタ支持部４１が回動中心を変えながら回動するようにモニタ支持部４１の移動を案内するガイド部４２とを有している。そして、モニタ移動機構５は、表示モニタ３を外装ケース２の上面２ｃから後面２ｂ及び後面２ｂから上面２ｃへ移動させる。【選択図】図８
2010141743.tif 000002
【特許請求の範囲】
【請求項１】
角部を形成する第１の面及び第２の面を有する外装ケースと、
前記外装ケースに収納され、被写体の光学的な像を形成するレンズが設けられたレンズ鏡筒と、
前記レンズ鏡筒を介して得られた像を表示する表示モニタと、
前記表示モニタを支持するモニタ支持部と、前記モニタ支持部が回動中心を変えながら回動するように前記モニタ支持部の移動を案内するガイド部とを有し、前記表示モニタを前記外装ケースの前記第１の面から前記第２の面及び前記第２の面から前記第１の面へ移動させるモニタ移動機構と、
を備える撮像装置。
【請求項２】
前記モニタ移動機構の前記ガイド部は、前記外装ケースの内部に設けられ、
前記外装ケースは、前記モニタ支持部が移動可能に貫通する支持部挿通溝を有する請求項１記載の撮像装置。
【請求項３】
前記モニタ移動機構は、前記表示モニタが前記外装ケースの前記第１の面又は前記第２の面に位置するように、前記モニタ支持部を付勢する移動機構用付勢部材を有する請求項２記載の撮像装置。
【請求項４】
前記ガイド部は、前記角部に向かって膨らむ円弧状に形成された第１の移動用レールと、前記第１の移動用レールの外径側に配置され、前記角部に向かって延びる第２の移動用レールとを有し、
前記モニタ支持部は、前記第１の移動用レールに係合する第１の係合ピンと、前記第１の移動用レールに係合する第２の係合ピンを有する請求項３記載の撮像装置。
【請求項５】
前記モニタ支持部は、前記第１のピン及び前記第２のピンが設けられたアーム片と、前記アーム片に連続して設けられ、前記表示モニタが取り付けられる取付片とを有する請求項４記載の撮像装置。
【請求項６】
前記外装ケースは、前記レンズ鏡筒の対物レンズが配置される前面を有し、
前記第１の面は、前記前面に連続する面であり、前記第２の面は、前記前面に対向する後面である請求項５記載の撮像装置。
【請求項７】
前記第１の面は、前記外装ケースの上面であり、
前記後面の面積は、前記上面の面積よりも小さい請求項６記載の撮像装置。
【請求項８】
前記表示モニタを前記モニタ支持部上で回転させるモニタ回転機構を備える請求項２記載の撮像装置。
【請求項９】
前記モニタ回転機構は、
前記表示モニタに設けられた回転用レールと、
前記モニタ支持部に設けられ、前記回転用レールに係合される固定軸と、
を有する請求項８記載の撮像装置。
【請求項１０】
前記モニタ回転機構は、前記表示モニタの姿勢が第１の姿勢又は第２の姿勢となるように、前記表示モニタを付勢する回転用付勢部を有する請求項８記載の撮像装置。
【発明の詳細な説明】
【技術分野】
【０００１】
本発明は、液晶ディスプレイなどの表示モニタを備えた撮像装置に関する。
【背景技術】
【０００２】
従来から、液晶ディスプレイなどの表示モニタを備えた撮像装置が提供されている。例えば、一般的なビデオカメラには、表示モニタがカメラ本体の側面に開閉可能に設けられている。このようなビデオカメラでは、使用者が表示モニタの表示画面を視認可能な方向に向けることができ、表示モニタに表示されている撮影画像を見ながら撮影を行うことが可能になる。また、表示モニタを使用しない場合に、表示モニタの表示画面をカメラ本体の側面に対向させるようにして表示モニタを閉じることが可能になっている。
【０００３】
ところで、一般的なビデオカメラの表示モニタは、ヒンジによってカメラ本体に回転可能に取り付けられている。したがって、表示モニタの側部とカメラ本体の側面には、ヒンジが挿通されるヒンジ受け部が設けられている。そのため、表示モニタの外形は、カメラ本体の側面の大きさよりも小さくなり、表示画面の大型化の妨げになっていた。
【０００４】
表示モニタを備えた従来の撮像装置としては、例えば、特許文献１に記載されているようなものがある。特許文献１には、ビデオカメラに関するものが記載されている。この特許文献１に記載されたビデオカメラは、カメラ本体と、このカメラ本体に移動可能に設けられた保持部と、保持部に回転可能に設けられた液晶表示部とを備えている。
【０００５】
保持部は、カメラ本体の側面に沿って後方にスライド可能に構成されている。また、保持部は、後方にスライドした状態でヒンジによって回転可能に構成されている。そのため、保持部をカメラ本体の側面に沿って後方にスライドさせ、そのスライド方向に対して９０°回転させると、保持部は、カメラ本体の側面から後部に移動するようになっている。
【０００６】
また、液晶表示部は、上述したように移動する保持部に回転可能に取り付けられているため、保持部と共にカメラ本体の側面から後部に移動する。この特許文献１に記載されたビデオカメラでは、液晶表示部がヒンジによってカメラ本体に取り付けられていない。そのため、液晶表示部の外形をカメラ本体の側面と略同じ大きさして、表示画面の大型化を図ることが可能であった。
【０００７】
【特許文献１】特開平１１−１９１１２７号公報
【発明の開示】
【発明が解決しようとする課題】
【０００８】
しかしながら、特許文献１に開示されたビデオカメラでは、保持部をカメラ本体の側面に沿って後方にスライドさせる動作と、保持部をカメラ本体に対して回転させる動作を行わなければ、保持部をカメラ本体の側面から後部に移動させることができなかった。したがって、液晶表示部をカメラ本体の側面から後部に移動させるには、保持部を移動させるための２つの動作が必要であった。
【０００９】
本発明は、このような状況に鑑みてなされたものであり、回動させる動作のみで表示モニタをカメラ本体の第１の面から第２の面へ移動させることができるようにすることを目的とする。
【課題を解決するための手段】
【００１０】
本発明の撮像装置は、外装ケースと、レンズ鏡筒と、表示モニタと、モニタ移動機構を備えている。外装ケースは、角部を形成する第１の面及び第２の面を有している。レンズ鏡筒は、外装ケースに収納されており、被写体の光学的な像を形成するレンズが設けられている。表示モニタは、レンズ鏡筒を介して得られた像を表示する。モニタ移動機構は、表示モニタを支持するモニタ支持部と、モニタ支持部が回動中心を変えながら回動するようにモニタ支持部の移動を案内するガイド部とを有している。そして、モニタ移動機構は、表示モニタを外装ケースの第１の面から第２の面及び第２の面から第１の面へ移動させる。
【００１１】
本発明の撮像装置では、モニタ移動機構のモニタ支持部が回動中心を変えながら回動することにより、表示モニタを外装ケースの第１の面から第２の面及び第２の面から第１の面へ移動させる。これにより、表示モニタは、外装ケースの角部を乗り越えるときに、その角部に対して浮き上がるように移動する。
【発明の効果】
【００１２】
本発明の撮像装置によれば、回動させる動作のみで表示モニタを外装ケースの角部を形成する第１の面から第２の面へ移動させることができる。
【発明を実施するための最良の形態】
【００１３】
以下、本発明の撮像装置を実施するための最良の形態について、図面を参照して説明する。なお、各図において共通の部材には、同一の符号を付している。また、本発明は、以下の形態に限定されるものではない。
【００１４】
〈１．第１の実施の形態〉
［撮像装置の外観構成］
まず、本発明の撮像装置の第１の実施の形態を示すデジタルビデオカメラの外観構成について、図１及び図２を参照して説明する。
以下の説明では、被写体側を前方、撮影者側を後方とし、デジタルビデオカメラを撮影者側から見た状態で前後方向、上下方向、左右方向を示す。
【００１５】
図１は、第１の実施の形態のデジタルビデオカメラの表示モニタを上面に配置させた状態の斜視図である。図２は、第１の実施の形態のデジタルビデオカメラの表示モニタを後面に配置させた状態の斜視図である。
【００１６】
図１及び図２に示すデジタルビデオカメラ１は、光学的な画像をＣＣＤイメージセンサやＣＭＯＳイメージセンサ等の固体撮像素子で電気的な信号に変換し、その信号をハードディスクドライブ（ＨＤＤ）に格納可能な構成になっている。また、デジタルビデオカメラ１は、固体撮像素子で変換された信号に基づいた画像を表示モニタ３に表示するようになっている。
【００１７】
デジタルビデオカメラ１は、外観形態を構成する外装ケース２と、表示モニタ３を備えている。外装ケース２は、前後方向に長く伸びる略直方体状に形成されている。この外装ケース２は、前方に向いた前面２ａと、後方に向いた後面２ｂと、上面２ｃと、下面２ｄと、左側面２ｅと、右側面２ｆを有している。
【００１８】
本実施の形態において、上面２ｃは、第１の面の一具体例を示し、後面２ｂが第２の面の一具体例を示す。上面２ｃと後面２ｂは、互いに略直行する平面であり、角部２ｇを形成している。また、後面２ｂの面積は、上面２ｃの面積よりも小さくなっている。
【００１９】
外装ケース２の前面２ａには、前方に突出する化粧筒１１が設けられている。この化粧筒１１は、前方に開口する筒孔を有する円筒状に形成されている。化粧筒１１の筒孔には、後述するレンズ鏡筒４（図３参照）の前部に設けられた対物レンズが前方に臨むように配置されている。また、化粧筒１１の上部には、フラッシュ装置の発光部（不図示）が設けられている。
【００２０】
外装ケース２の後面２ｂには、後述するバッテリ７の接続端子３４を露出するための端子用開口部１２が設けられている。外装ケース２の上面２ｃには、マイクロホン用の集音孔１４と、ズーム操作用のズームボタン１５と、録画ボタン１６が設けられている。これら集音孔１４、ズームボタン１５及び録画ボタン１６は、表示モニタ３を外装ケース２の上面に配置させると、表示モニタ３によって覆われる（図１を参照）。
【００２１】
なお、外装ケース２の上面２ｃには、その他の操作ボタンや、ビデオライトや外付けマイクロホン等のアクセサリーが着脱自在に装着されるアクセサリーシューを設けてもよい。その他の操作ボタンとしては、電源ボタン、デジタルビデオカメラ１の機能（例えば、録画機能、再生機能、静止画撮影機能など）を切り替える機能切換ボタンなどを挙げることができる。
【００２２】
また、外装ケース２には、一対の支持部貫通溝１８ａ，１８ｂと、接続線貫通溝１９が設けられている。これら一対の支持部貫通溝１８ａ，１８ｂ及び接続線貫通溝１９は、角部２ｇを形成する上面２ｃ及び後面２ｂに連続して設けられている。一対の支持部貫通溝１８ａ，１８ｂには、後述するモニタ移動機構５のモニタ支持部４１が移動可能に貫通されている。接続線貫通溝１９には、制御回路と表示モニタ３を電気的に接続する接続線が移動可能に貫通されている。
【００２３】
表示モニタ３は、液晶パネルや有機ＥＬ（electroluminescence）パネル等の平面表示パネル２１と、この平面表示パネル２１を収納するパネルケース２２を備えている。平面表示パネル２１は、長方形の平板状に形成されており、一方の平面が画像を表示する表示画面２１ａとなっている。
【００２４】
パネルケース２２は、略直方体をなす偏平の筐体からなり、上面部２２ａと、この上面部２２ａの反対側の面を形成し、外装ケース２に対向する底面部２２ｂを有している。このパネルケース２２の上面部２２ａ及び底面部２２ｂの大きさは、外装ケース２の上面２ｃと略同一の大きさに設定されている。
【００２５】
パネルケース２２の上面部２２ａには、平面表示パネル２１の表示画面２１ａを露出させるためのパネル用開口部２３が設けられている。このパネル用開口部２３は、長方形に形成されており、上面部２２ａの長手方向に延びる２つの長辺と、上面部２２ａの短手方向に延びる２つの短辺を有している。また、パネルケース２２の上面部２２ａには、機能切換ボタン２４と、ズームボタン２５と、録画ボタン２６が設けられている。これら操作ボタン２５〜２７は、パネル用開口部２３の一方の短辺に沿って配置されている。
【００２６】
［撮像装置の内部構成］
次に、デジタルビデオカメラ１の内部構成について、図３及び図４を参照して説明する。
【００２７】
図３は、図１に示すデジタルビデオカメラ１に係る外装ケース２の左側面２ｅと、パネルケース２２の上面部２２ａを取り除いた状態の斜視図である。図４は、図２に示すデジタルビデオカメラ１に係る外装ケース２の左側面２ｅと、パネルケース２２の上面部２２ａを取り除いた状態の斜視図である。
【００２８】
外装ケース２の内部には、レンズ鏡筒４と、表示モニタ３を移動させるモニタ移動機構５と、バッテリ７と、ハードディスクドライブ（不図示）と、制御回路（不図示）等が設けられている。
【００２９】
レンズ鏡筒４は、光学系を構成する複数のレンズと、複数のレンズを固定又は移動可能に支持する鏡筒ケース３１とを有している。鏡筒ケース３１は、略直方体状に形成された筐体からなり、複数のレンズの光軸が前後方向に向いた状態で外装ケース２に取り付けられている。
【００３０】
鏡筒ケース３１の前部には、複数のレンズのうちの対物レンズが前方に臨むように配置されている。一方、鏡筒ケース３１の後部には、固体撮像素子３２が取り付けられている。この固体撮像素子３２は、複数のレンズを含む光学系によって導かれた被写体の像（光）を電気的な画像信号に変換し、その画像信号を制御回路に供給する。
【００３１】
モニタ移動機構５は、表示モニタ３を外装ケース２の上面２ｃから後面２ｂ又は後面２ｂから上面２ｃへ移動させる。さらに、デジタルビデオカメラ１には、表示モニタ３をモニタ移動機構５の後述するモニタ支持部４１上で回転させるモニタ回転機構６が設けられている。これら、モニタ移動機構５及びモニタ回転機構６については、後で詳しく説明する。
【００３２】
バッテリ７は、外装ケース２内の後方に配置されている。バッテリ７は、表示モニタ３、レンズ鏡筒４、ハードディスクドライブ及び制御回路等に電源を供給する。このバッテリ７には、充電を行うための接続端子３４が設けられている。この接続端子３４は、外装ケース２の後面２ｂに設けた端子用開口部１２から露出される。
【００３３】
制御回路は、レンズ鏡筒４、表示モニタ３及びハードディスクドライブ等の駆動制御を行ったり、固体撮像素子３２から供給される画像信号の処理を行ったりする。例えば、制御回路は、処理した画像信号に基づいた画像を表示モニタ３に表示させたり、処理した画像信号をハードディスクドライブに格納したりする。また、制御回路は、ハードディスクドライブに格納された画像信号を呼び出して、その画像信号に基づいた画像を表示モニタ３に表示させる。
【００３４】
［モニタ移動機構及びモニタ回転機構の構成］
次に、モニタ移動機構５及びモニタ回転機構６について、図５及び図６を参照して説明する。
【００３５】
図５は、モニタ移動機構５及びモニタ回転機構６を示す斜視図である。図６は、モニタ移動機構５及びモニタ回転機構６の分解斜視図である。
【００３６】
モニタ移動機構５は、表示モニタ３を支持するモニタ支持部４１と、このモニタ支持部４１を移動可能に支持し、モニタ支持部４１が回動中心を変えながら回動するように案内するガイド部４２とを備えている。
【００３７】
まず、ガイド部４２について説明する。ガイド部４２は、外装ケース２の内部に固定されており、上下方向から見た形状が略コ字状に形成されている。このガイド部４２は、左右方向に対向する一対のガイド板４３，４４と、一対のガイド板４３，４４を連結する連結板４５と、ガイド板４４に連続する取付板４６とを有している。
【００３８】
ガイド板４３には、第１の移動用レール４３ａと、第２の移動用レール４３ｂと、ピン固定用孔４３ｃが設けられている。第１の移動用レール４３ａ及び第２の移動用レール４３ｂは、ガイド板４３の平面を貫通する溝を設けることにより形成されている。第１の移動用レール４３ａは、外装ケース２の角部２ｇ（図３参照）側に膨らむような円弧状になっている。この第１の移動用レール４３ａには、モニタ支持部４１に固定される第１の係合ピン５６Ａが摺動可能に係合される。
【００３９】
第２の移動用レール４３ｂは、第１の移動用レール４３ａの外径側に配置されている。この第２の移動用レール４３ｂは、第１の移動用レール４３ａの半径方向であって外装ケース２の角部２ｇに向かって延びる直線状に形成されている。第２の移動用レール４３ｂには、モニタ支持部４１に固定される第２の係合ピン５７Ａが摺動可能に係合される。また、ガイド板４３のピン固定用孔４３ｃには、固定ピン４８Ａがカシメ固定される。
【００４０】
ガイド板４４には、ガイド板４３と同様に、第１の移動用レール４４ａと、第２の移動用レール４４ｂと、ピン固定用孔４４ｃが設けられている。第１の移動用レール４４ａ、第２の移動用レール４４ｂ及びピン固定用孔４４ｃは、ガイド板４３の第１の移動用レール４３ａ、第２の移動用レール４３ｂ及びピン固定用孔４３ｃに対して対称に形成されている。
【００４１】
第１の移動用レール４４ａには、モニタ支持部４１に固定される第１の係合ピン５６Ｂが摺動可能に係合される。第２の移動用レール４４ｂには、モニタ支持部４１に固定される第２の係合ピン５７Ｂが摺動可能に係合される。また、ガイド板４４のピン固定用孔４４ｃには、固定ピン４８Ｂがカシメ固定される。
【００４２】
連結板４５は、左右方向に延びる長方形に形成されており、前後方向に直交する平面を有している。この連結板４５の２つの短辺には、それぞれガイド板４３，４４が連続している。また、取付板４６は、上下方向に立ち上がる立上り片４６ａと、この立上り片４６ａに連続して略９０度折り曲げられた固定片４６ｂを有している。この取付板４６の固定片４６ｂは、上下方向に直交する平面を有している。
【００４３】
一対のガイド板４３，４４、連結板４５及び取付板４６の固定片４６ｂは、それぞれ固定ねじ（不図示）によって外装ケース２に固定される。つまり、ガイド部４２は、外装ケース２に対して左右方向、前後方向及び上下方向に固定されことになり、ガイド部４２の固定を強固にすることができる。
【００４４】
次に、モニタ支持部４１について説明する。モニタ支持部４１は、表示モニタ３が取り付けられる取付片５１と、この取付片５１にそれぞれ連続する一対のアーム片５２，５３とを有している。取付片５１は、モニタ回転機構６を介して表示モニタ３を回転可能に支持する。つまり、モニタ回転機構６は、表示モニタ３をモニタ支持部４１（取付片５１）上で回転させる機構である。このモニタ回転機構６については、後で詳しく説明する。
【００４５】
取付片５１は、略長方形の板体からなり、左右方向に延びる２つの長辺を有している。この取付片５１には、３つの固定軸５４Ａ，５４Ｂ，５４Ｃをカシメ固定するための３つの貫通孔５１ａが設けられている。３つの固定軸５４Ａ，５４Ｂ，５４Ｃは、それぞれ３つの貫通孔５１ａを貫通した状態で取付片５１にカシメ固定される。これら３つの固定軸５４Ａ，５４Ｂ，５４Ｃには、後述する固定ねじ７１が螺合されるねじ孔が形成されている。
【００４６】
一対のアーム片５２，５３は、長方形の板体からなっている。これらアーム片５２，５３は、それぞれ取付片５１の短辺に連続しており、取付片５１の平面に対して略直行する方向に延びている。一対のアーム片５２，５３は、外装ケース２に設けた一対の支持部貫通溝１８ａ，１８ｂを移動可能に貫通する。そして、取付片５１は、外装ケース２の上面２ｃ或いは後面２ｂ上に配置される。
【００４７】
アーム片５２には、第１の係合ピン５６Ａと、第２の係合ピン５７Ａがカシメ固定される。第１の係合ピン５６Ａの軸方向の高さは、第２の係合ピン５７Ａの軸方向の高さよりも低く設定されている。第１の係合ピン５６Ａは、アーム片５２の先端部に固定される。この第１の係合ピン５６Ａは、ガイド板４３に設けた第１の移動用レール４３ａに摺動可能に係合し、ガイド板４３を貫通する。
【００４８】
一方、第２の係合ピン５７Ａは、アーム片５２の中間部に固定される。この第２の係合ピン５７Ａは、ガイド板４３に設けた第２の移動用レール４３ｂに摺動可能に係合し、ガイド板４３を貫通する。ガイド板４３の外側に突出する第２の係合ピン５７Ａの先端部には、移動機構用付勢部材の一具体例を示す引張りコイルばね５９Ａの一端が固定される。
【００４９】
引張りコイルばね５９Ａの他端は、ガイド板４３に固定した固定ピン４８Ａの先端部に固定される。なお、第１の係合ピン５６Ａの軸方向の高さが第２の係合ピン５７Ａの軸方向の高さよりも低いため、引張りコイルばね５９Ａは、第１の係合ピン５６Ａと干渉しない。
【００５０】
アーム片５３には、第１の係合ピン５６Ｂと、第２の係合ピン５７Ｂがカシメ固定される。第１の係合ピン５６Ｂは、上述した第１の係合ピン５６Ａと同一のものであり、第２の係合ピン５７Ｂは、第２の係合ピン５７Ａと同一のものである。第１の係合ピン５６Ｂは、アーム片５３の先端部に固定される。この第１の係合ピン５６Ｂは、ガイド板４４に設けた第１の移動用レール４４ａに摺動可能に係合し、ガイド板４４を貫通する。
【００５１】
一方、第２の係合ピン５７Ｂは、アーム片５３の中間部に固定される。この第２の係合ピン５７Ｂは、ガイド板４４に設けた第２の移動用レール４４ｂに摺動可能に係合し、ガイド板４４を貫通する。ガイド板４４の外側に突出する第２の係合ピン５７Ｂの先端部には、移動機構用付勢部材の一具体例を示す引張りコイルばね５９Ｂの一端が固定される。
【００５２】
引張りコイルばね５９Ｂの他端は、ガイド板４４に固定した固定ピン４８Ｂの先端部に固定される。なお、第１の係合ピン５６Ｂの軸方向の高さが第２の係合ピン５７Ｂの軸方向の高さよりも低いため、引張りコイルばね５９Ｂは、第１の係合ピン５６Ｂと干渉しない。
【００５３】
一対のアーム片５２，５３がガイド部４２の第１の移動用レール４３ａ，４４ａ及び第２の移動用レール４３ｂ，４４ｂに案内されることにより、モニタ支持部４１は、回動中心を変えながら略９０度回動する。これにより、モニタ支持部４１は、外装ケース２の上面２ｃから後面２ｂ（又は後面２ｂから上面２ｃ）へ角部２ｇを乗り越えて移動する。
【００５４】
また、モニタ支持部４１は、第２の係合ピン５７Ａ，５７Ｂが第２の移動用レール４３ｂ，４４ｂの下方（第１の移動用レール４３ａ，４４ａ側）に向かうように、引張りコイルばね５９Ａ，５９Ｂによって常に付勢されている。そのため、モニタ支持部４１の姿勢は、第２の係合ピン５７Ａ，５７Ｂが第２の移動用レール４３ｂ，４４ｂの下側の端部に位置した状態で安定する。
【００５５】
第２の係合ピン５７Ａ，５７Ｂが第２の移動用レール４３ｂ，４４ｂの下側の端部に位置するとき、取付片５１は、外装ケース２の上面２ｃ上又は後面２ｂ上に位置する。したがって、モニタ支持部４１の姿勢は、取付片５１が外装ケース２の上面２ｃ上又は後面２ｂ上に位置した状態を保ち続ける。
【００５６】
次に、モニタ回転機構６について説明する。
モニタ回転機構６は、パネルケース２２の底面部２２ｂに設けられた第１の回転用レール６１及び第２の回転用レール６２と、モニタ支持部４１の取付片５１にカシメ固定された３つの固定軸５４Ａ，５４Ｂ，５４Ｃから構成されている。また、モニタ回転機構６は、モニタ支持部４１に対する表示モニタ３の姿勢が第１の姿勢又は第２の姿勢となるように、表示モニタ３を付勢する回転用付勢部７１を有している。
【００５７】
パネルケース２２の底面部２２ｂには、第１の回転用レール６１と、第２の回転用レール６２と、接続線貫通孔６３と、固定用突起６４，６５，６６とが設けられている。第１の回転用レール６１及び第２の回転用レール６２は、パネルケース２２の底面部２２ｂを貫通する溝を設けることによって形成されている。
【００５８】
第１の回転用レール６１は、底面部２２ｂの略中央に向かって膨らむような円弧状に形成されており、底面部２２ｂの一方の短辺側に位置する第１端部６１ａと、底面部２２ｂの一方の長辺側に位置する第２端部６１ｂを有している。この第１の回転用レール６１には、取付片５１に固定された固定軸５４Ａが係合される。また、固定軸５４Ａには、回転用付勢部７１の後述するリンクアーム７２が回転可能に取り付けられる。
【００５９】
第２の回転用レール６２は、第１の回転用レール６１と同様に、底面部２２ｂの略中央に向かって膨らむような円弧状に形成されている。この第２の回転用レール６２の円弧の中心は、第１の回転用レール６１の円弧の中心に一致している。そして、第２の回転用レール６２は、底面部２２ｂの一方の短辺側に位置する第１端部６２ａと、底面部２２ｂの一方の長辺側に位置する第２端部６２ｂを有している。この第２の回転用レール６２には、取付片５１に固定された固定軸５４Ｂ，５４Ｃが係合される。
【００６０】
固定軸５４Ｂ，５４Ｃには、固定ねじ７０によって抜け止め部材６９が固定される。抜け止め部材６９は、パネルケース２２の内部において、底面部２２ｂと係合する。抜け止め部材６９が底面部２２ｂと係合することにより、固定軸５４Ｂ，５４Ｃは、第２の回転用レール６２から外れないようになっている。
【００６１】
固定軸５４Ａが第１の回転用レール６１に係合し、固定軸５４Ｂ，５４Ｃが第２の回転用レール６２に係合することにより、表示モニタ３は、モニタ支持部４１上を略９０度回転可能になる。そして、表示モニタ３の回転中心は、第１の回転用レール６１及び第２の回転用レール６２の円弧の中心に一致する。
【００６２】
また、固定軸５４Ａが第１の回転用レール６１に係合し、固定軸５４Ｂ，５４Ｃが第２の回転用レール６２に係合することにより、モニタ支持部４１に対する表示モニタ３のガタツキを抑制することができる。
【００６３】
固定軸５４Ａが第１の回転用レール６１の第１端部６１ａに位置すると、固定軸５４Ｂが第２の回転用レール６２の第１端部６２ａに位置し、モニタ支持部４１に対する表示モニタ３の姿勢は、第１の姿勢になる。例えば、表示モニタ３が外装ケース２の上面２ｃに位置する状態で第１の姿勢になると、外装ケース２の上面２ｃ全体が表示モニタ３によって覆われる。
【００６４】
固定軸５４Ａが第１の回転用レール６１の第２端部６１ｂに位置すると、固定軸５４Ｃが第２の回転用レール６２の第２端部６２ｂに位置し、モニタ支持部４１に対する表示モニタ３の姿勢は、第２の姿勢になる。例えば、表示モニタ３が外装ケース２の上面２ｃに位置する状態で第２の姿勢になると、外装ケース２の上面２ｃにおける一部が表示モニタ３によって覆われる。
【００６５】
接続線貫通孔６３は、第１の回転用レール６１及び第２の回転用レール６２の円弧の中心と一致する部分に設けられている。この接続線貫通孔６３には、制御回路と表示モニタ３を電気的に接続する接続線が貫通される。つまり、表示モニタ３がモニタ支持部４１上を回転しても、接続線が表示モニタ３のパネルケース２２を貫通する位置が変位しないようになっている。
【００６６】
なお、モニタ移動機構５によって表示モニタ３が外装ケースの上面２ｃから後面２ｂ（又は後面２ｂから上面２ｃ）へ移動する場合は、接続線がパネルケース２２を貫通する位置が変位する。この場合、接続線は、外装ケース２の接続線貫通溝１９内を移動する。
【００６７】
３つの固定用突起６４，６５，６６には、回転用付勢部７１の後述するリンクガイド７３が固定される。固定用突起６４は、底面部２２ｂの他方の短辺に沿って設けられており、略四角形の直方体状に形成されている。この固定用突起６４は、底面部２２ｂの２つの短辺が対向する方向に直交する第１の側面６４ａと、底面部２２ｂの２つの長辺が対向する方向に直交する第２の側面６４ｂ及び第３の側面６４ｃを有している。
【００６８】
固定用突起６５，６６は、底面部２２ｂの他方の長辺に沿って設けられている。これら固定用突起６５，６６は、板状に形成されており、底面部２２ｂの２つの長辺が対向する方向に直交する平面を有している。また、底面部２２ｂには、パネルケース２２の強度を高めるための複数の補強リブ６７が設けられている。
【００６９】
次に、回転用付勢部７１について説明する。
回転用付勢部７１は、固定軸５４Ａに回転可能に取り付けられるリンクアーム７２と、パネルケース２２の底面部２２ｂに固定されるリンクガイド７３と、リンクアーム７２を付勢する引張りコイルばね７４等から構成されている。
【００７０】
リンクアーム７２は、細長の略長方形に形成された板体からなっている。このリンクアーム７２の中間部には、抜け止め部材６９との干渉を避けるための段部７２ａが設けられている。リンクアーム７２の一方の端部には、固定軸５４Ａに螺合される固定ねじ７０が貫通する取付用孔７２ｂが設けられている。また、リンクアーム７２の他方の端部には、引張りコイルばね７４の一端が取り付けられる爪部７６が設けられている。
【００７１】
固定ねじ７０は、ワッシャー７７とリンクアーム７２の取付用孔７２ｂを貫通した状態で固定軸５４Ａに螺合される。ワッシャー７７は、固定ねじの頭部とリンクアーム７２の一方の端部との間に介在される。これにより、リンクアーム７２は、固定軸５４Ａに回転可能に取り付けられる。また、固定軸５４Ａは、リンクアーム７２が取り付けられることにより、第１の回転用レール６１から外れないようになっている。
【００７２】
リンクガイド７３は、略Ｌ字状に形成された板体からなり、ベース部８１と、このベース部８１に連続する補助板部８２を有している。ベース部８１は、細長の略長方形に形成されている。このベース部８１の一方の端部には、引張りコイルばね７４の他端が取り付けられる爪部８４が設けられている。
【００７３】
また、ベース部８１の一方の長辺には、２つの取付片８５，８６が設けられている。これら取付片８５，８６は、ベース部８１に連続して略垂直に突出する板体からなり、ベース部８１の２つの長辺が対向する方向に直交する平面を有している。取付片８５，８６は、それぞれパネルケース２２の固定用突起６５，６６に固定ねじ（不図示）によって固定される。
【００７４】
リンクガイド７３の補助板部８２は、ベース部８１の他方の長辺に連続しており、ベース部８１の２つの長辺が対向する方向に延びる略長方形に形成されている。この補助板部８２には、当接片８８と、この当接片８８に連続する取付片８９が設けられている。当接片８８は、補助板部８２の一方の長辺に連続して略垂直に突出する略四角形の板体からなり、補助板部８２の２つの長辺が対向する方向に直交する平面を有している。この当接片８８は、パネルケース２２に設けた固定用突起６４の第１の側面６４ａに当接される。
【００７５】
取付片８９は、当接片８８の一方の側辺に連続して略垂直に突出する略四角形の板体からなり、補助板部８２の２つの長辺が延びる方向に直交する平面を有している。この取付片８９は、パネルケース２２に設けた固定用突起６４の第３の側面６４ｃに固定ねじ（不図示）によって固定される。
【００７６】
リンクアーム７２は、爪部７６がリンクガイド７３の爪部８４に近づくように、引張りコイルばね７４によって常に付勢されている。リンクアーム７２の爪部７６は、固定軸５４Ａが第１の回転用レール６１の中間部に位置するときに、リンクガイド７３の爪部８４との距離が最も長くなる。そして、リンクアーム７２の爪部７６は、固定軸５４Ａが第１の回転用レール６１の第１端部６２ａ及び第２端部６２ｂに近づくにつれて、リンクガイド７３の爪部８４に近づく。
【００７７】
したがって、表示モニタ３の姿勢は、固定軸５４Ａが第１の回転用レール６１の第１端部６１ａに位置する第１の姿勢（図７ａ参照）と、固定軸５４Ａが第１の回転用レール６１の第２端部６１ｂに位置する第２の姿勢（図７ｃ参照）で安定する。つまり、表示モニタ３に外力が加えられていなければ、表示モニタ３は、回転用付勢部７１の作用により第１の姿勢又は第２の姿勢を保ち続ける。
【００７８】
なお、本実施の形態では、第２の回転用レール６２の第１端部６２ａに固定軸５４Ｂを当接させることで第１の姿勢の位置決めを行っている。そして、第１の姿勢において、第１の回転用レール６１の第１端部６１ａと固定軸５４Ａとの間には、間隙を生じさせている。また、第２の回転用レール６２の第２端部６２ｂに固定軸５４Ｃを当接させることで第２の姿勢の位置決めを行っている。そして、第２の姿勢において、第１の回転用レール６１の第２端部６１ｂと固定軸５４Ａとの間には、間隙を生じさせている。
【００７９】
例えば、表示モニタ３が第１の姿勢になった状態において、固定軸５４Ａが第１の回転用レール６１の第１端部６１ａに接触していると、表示モニタ３が固定軸５４Ａに沿って回転してしまう。その結果、モニタ支持部４１に対する表示モニタ３のガタツキが生じてしまう。
【００８０】
しかしながら、本実施の形態のように、第１の姿勢おいて、第１の回転用レール６１の第１端部６１ａと固定軸５４Ａとの間に間隙を生じさせると、表示モニタ３が固定軸５４Ａに沿って回転することがない。その結果、第１の姿勢における表示モニタ３のガタツキを抑制することができる。これと同様に、第１の回転用レール６１の第２端部６１ｂと固定軸５４Ａとの間に間隙を生じさせると、第２の姿勢における表示モニタ３のガタツキも抑制することができる。
【００８１】
［モニタ回転機構による表示モニタの動作］
次に、モニタ回転機構６による表示モニタ３の動作について、図７（ａ）〜図７（ｃ）を参照して説明する。
【００８２】
図７（ａ）は、表示モニタ３が外装ケース２の上面２ｃ上に位置し、モニタ支持部４１に対して第１の姿勢になっている状態の説明図である。図７（ｂ）は、図７（ａ）に示す状態から表示モニタ３を回転させている途中の状態を示す説明図である。図７（ｃ）は、図７（ｂ）に示す状態から表示モニタ３をさらに回転させ、表示モニタ３がモニタ支持部４１に対して第２の姿勢になっている状態の説明図である。
【００８３】
図７（ａ）に示すように、外装ケース２の上面２ｃ上に位置する表示モニタ３がモニタ支持部４１に対して第１の姿勢になっている場合は、外装ケース２の上面２ｃが表示モニタ３によって覆われている。この状態において、モニタ支持部４１の固定軸５４Ｂが表示モニタ３に設けた第２の回転用レール６２の第１端部６２ａに当接しているため、表示モニタ３のＲ１方向への回転が制止されている。
【００８４】
一方、モニタ支持部４１の固定軸５４Ａは、表示モニタ３に設けた第１の回転用レール６１の第１端部６１ａに近接している。そして、固定軸５４Ａに回転可能に取り付けられたリンクアーム７２は、引張りコイルばね７４によって爪部７６がリンクガイド７３の爪部８４に近づくように付勢されている。そのため、引張りコイルばね７４のばね力は、表示モニタ３のＲ２方向への回転に対する抵抗力を生じさせている。その結果、表示モニタ３は、第１の姿勢を保ち続ける。
【００８５】
表示モニタ３を図７（ａ）に示す第１の姿勢から図７（ｃ）に示す第２の姿勢にするには、引張りコイルばね７４のばね力に抗して表示モニタ３をＲ２方向へ押圧する。表示モニタ３をＲ２方向へ押圧すると、表示モニタ３が回転し、リンクガイド７３が表示モニタ３と共に変位する。これにより、リンクアーム７２の爪部７６は、リンクガイド７３の爪部８４から遠ざかる。
【００８６】
そして、図７（ｂ）に示す状態において、爪部７６から爪部８４までの距離が最も長くなる。このとき、固定軸５４Ａは、第１の回転用レール６１の略中間部に位置し、固定軸５４Ｂ，５４Ｃは、第２の回転用レール６２の略中間部に位置する。
【００８７】
図７（ｂ）に示す状態から表示モニタ３をさらにＲ２方向へ押圧すると、表示モニタ３が回転し、リンクガイド７３は、爪部８４がリンクアーム７２の爪部７６に近づくように変位する。そのため、引張りコイルばね７４のばね力は、表示モニタ３をＲ２方向に回転させる力として作用する。したがって、表示モニタ３は、それ以上押圧しなくても、引張りコイルばね７４のばね力によってＲ２方向へ回転する。
【００８８】
その後、固定軸５４Ｃが第２の回転用レール６２の第２端部６２ｂに当接することにより、表示モニタ３のＲ２方向への回転が係止される。その結果、表示モニタ３は、図７（ｃ）に示す第２の姿勢になる。
【００８９】
図７（ｃ）に示す状態において、固定軸５４Ａは、第１の回転用レール６１の第２端部６１ｂに近接している。そして、リンクアーム７２は、引張りコイルばね７４によって爪部７６がリンクガイド７３の爪部８４に近づくように付勢されている。そのため、引張りコイルばね７４のばね力は、表示モニタ３のＲ１方向への回転に対する抵抗力を生じさせる。その結果、表示モニタ３は、第２の姿勢を保ち続ける。
【００９０】
なお、表示モニタ３を第２の姿勢から第１の姿勢にするには、引張りコイルばね７４のばね力に抗して表示モニタ３をＲ１方向へ押圧する。表示モニタ３をＲ２方向へ押圧すると、表示モニタ３が回転し、リンクアーム７２の爪部７６は、リンクガイド７３の爪部８４から遠ざかる。そして、図７（ｂ）に示す状態において、爪部７６から爪部８４までの距離が最も長くなる。
【００９１】
図７（ｂ）に示す状態から表示モニタ３をさらにＲ１方向へ押圧すると、表示モニタ３が回転し、リンクガイド７３は、爪部８４がリンクアーム７２の爪部７６に近づくように変位する。そのため、引張りコイルばね７４のばね力は、表示モニタ３をＲ１方向に回転させる力として作用する。したがって、表示モニタ３は、それ以上押圧しなくても、引張りコイルばね７４のばね力によってＲ１方向に回転する。
【００９２】
その後、固定軸５４Ｂが第２の回転用レール６２の第２端部６２ｂに当接することにより、表示モニタ３のＲ１方向への回転が係止される。その結果、表示モニタ３は、図７（ａ）に示す第２の姿勢になる。
【００９３】
［モニタ移動機構による表示モニタの動作］
次に、モニタ移動機構５による表示モニタ３の動作について、図８（ａ）〜図８（ｃ）を参照して説明する。
【００９４】
図８（ａ）は、表示モニタ３が外装ケース２の上面２ｃ上に位置し、モニタ支持部４１に対して第２の姿勢になっている状態の説明図である。図８（ｂ）は、図８（ａ）に示す状態から表示モニタ３を移動させている途中の状態を示す説明図である。図８（ｃ）は、図８（ｂ）に示す状態から表示モニタ３をさらに移動させ、外装ケース２の後面２ｂ上に配置させた状態の説明図である。
【００９５】
図８（ａ）に示す状態は、図７（ｃ）に示す状態を左右方向から見たものである。図８（ａ）に示すように、表示モニタ３が外装ケース２の上面２ｃ上に配置された状態では、モニタ支持部４１のアーム片５２，５３が支持部貫通溝１８ａ，１８ｂを貫通して外装ケース２の上面２ｃから突出している。
【００９６】
この状態において、アーム片５２，５３に固定された第１の係合ピン５６Ａ，５６Ｂは、ガイド板４３，４４に設けた第１の移動用レール４３ａ，４４ａの下側の端部に当接している。また、アーム片５２，５３に固定された第２の係合ピン５７Ａ，５７Ｂは、ガイド板４３，４４に設けた第２の移動用レール４３ｂ，４４ｂの下側の端部に当接している。
【００９７】
そして、モニタ支持部４１は、第２の係合ピン５７Ａ，５７Ｂが第２の移動用レール４３ｂ，４４ｂの下側の端部に向かうように、引張りコイルばね５９Ａ，５９Ｂによって常に付勢されている。そのため、引張りコイルばね５９Ａ，５９Ｂのばね力は、表示モニタ３のＲ３方向への移動（回動）に対する抵抗力を生じさせている。その結果、表示モニタ３は、外装ケース２の上面２ｃ上に配置された状態を保ち続ける。
【００９８】
表示モニタ３を外装ケース２の上面２ｃから後面２ｂへ移動させるには、引張りコイルばね５９Ａ，５９Ｂのばね力に抗して表示モニタ３をＲ３方向に押圧する。表示モニタ３をＲ３方向に押圧すると、表示モニタ３を支持するモニタ支持部４１は、第１の移動用レール４３ａ，４４ａと第２の移動用レール４３ｂ，４４ｂに案内されて移動する。このとき、第１の係合ピン５６Ａ，５６Ｂは、第１の移動用レール４３ａ，４４ａに沿って上方へ移動し、第２の係合ピン５７Ａ，５７Ｂは、第２の移動用レール４３ｂ，４３ａに沿って上方へ移動する。
【００９９】
これにより、モニタ支持部４１は、回動中心を変えながらＲ３方向へ回動する。つまり、モニタ支持部４１は、外装ケース２の角部２ｇに対して表示モニタ３を離すように持ち上げながら回動する。そして、図８（ｂ）に示す状態において、表示モニタ３が外装ケース２の角部２ｇから最も離れる。このとき、第１の係合ピン５６Ａ，５６Ｂは、第１の移動用レール４３ａ，４４ａの略中間部に位置し、第２の係合ピン５７Ａ，５７Ｂは、第２の移動用レール４３ｂ，４４ｂの下側の端部に位置する。
【０１００】
図８（ｂ）に示す状態から表示モニタ３をさらにＲ３方向に押圧すると、第１の係合ピン５６Ａ，５６Ｂは、第１の移動用レール４３ａ，４４ａに沿って上方に移動する。一方、第２の係合ピン５７Ａ，５７Ｂは、第２の移動用レール４３ｂ，４３ａに沿って下方に移動する。そのため、引張りコイルばね５９Ａ，５９Ｂのばね力は、モニタ支持部４１及び表示モニタ３をＲ３方向へ回動させる力として作用する。したがって、表示モニタ３は、それ以上押圧しなくても、引張りコイルばね５９Ａ，５９Ｂのばね力によってＲ３方向に回動する。
【０１０１】
その後、第１の係合ピン５６Ａ，５６Ｂが第１の移動用レール４３ａ，４４ａの上側の端部に当接し、第２の係合ピン５７Ａ，５７Ｂが第２の移動用レール４３ｂ，４４ｂの下側の端部に当接する。これより、モニタ支持部４１のＲ３方向への回転が係止され、表示モニタ３は、外装ケース２の角部２ｇを乗り越えて後面２ｂに配置される（図２参照）。
【０１０２】
図８（ｃ）に示す状態において、モニタ支持部４１は、第２の係合ピン５７Ａ，５７Ｂが第２の移動用レール４３ｂ，４４ｂの下側の端部に向かうように、引張りコイルばね５９Ａ，５９Ｂによって常に付勢されている。そのため、引張りコイルばね５９Ａ，５９Ｂのばね力は、表示モニタ３のＲ４方向への移動（回動）に対する抵抗力を生じさせている。その結果、表示モニタ３は、外装ケース２の後面２ｂ上に配置された状態を保ち続ける。
【０１０３】
なお、表示モニタ３を外装ケース２の後面２ｂから上面２ｃへ移動させるには、引張りコイルばね５９Ａ，５９Ｂのばね力に抗して表示モニタ３をＲ４方向に押圧する。このとき、第１の係合ピン５６Ａ，５６Ｂは、第１の移動用レール４３ａ，４４ａに沿って下方へ移動し、第２の係合ピン５７Ａ，５７Ｂは、第２の移動用レール４３ｂ，４３ａに沿って上方へ移動する。
【０１０４】
これにより、モニタ支持部４１は、回動中心を変えながらＲ４方向へ回動する。つまり、モニタ支持部４１は、外装ケース２の角部２ｇに対して表示モニタ３を離すように持ち上げながら回動する。そして、図８（ｂ）に示す状態において、表示モニタ３が外装ケース２の角部２ｇから最も離れる。
【０１０５】
図８（ｂ）に示す状態から表示モニタ３をさらにＲ４方向に押圧すると、第１の係合ピン５６Ａ，５６Ｂは、第１の移動用レール４３ａ，４４ａに沿って下方に移動する。一方、第２の係合ピン５７Ａ，５７Ｂは、第２の移動用レール４３ｂ，４３ａに沿って下方に移動する。そのため、引張りコイルばね５９Ａ，５９Ｂのばね力は、モニタ支持部４１及び表示モニタ３をＲ４方向へ回動させる力として作用する。したがって、表示モニタ３は、それ以上押圧しなくても、引張りコイルばね５９Ａ，５９Ｂのばね力によってＲ４方向に回動する。
【０１０６】
その後、第１の係合ピン５６Ａ，５６Ｂが第１の移動用レール４３ａ，４４ａの下側の端部に当接し、第２の係合ピン５７Ａ，５７Ｂが第２の移動用レール４３ｂ，４４ｂの下側の端部に当接する。これより、モニタ支持部４１のＲ４方向への回転が制止され、表示モニタ３は、外装ケース２の角部２ｇを乗り越えて上面２ｃに配置される。
【０１０７】
上述の説明では、外装ケース２の上面２ｃ上において、表示モニタ３の姿勢を第１の姿勢から第２の姿勢に変更し、その後、表示モニタ３を外装ケース２の上面２ｃから後面２ｂに移動させた。しかしながら、本実施の形態のデジタルビデオカメラ１では、表示モニタ３を外装ケース２の上面２ｃから後面２ｂに移動させてから、外装ケース２の後面２ｂ上で表示モニタ３の姿勢を第１の姿勢から第２の姿勢に変更することもできる。
【０１０８】
［第１の実施形態の効果］
本実施の形態のデジタルビデオカメラ１によれば、モニタ移動機構５によって表示モニタ３を外装ケース２の上面２ｃから後面２ｂ（又は後面２ｂから上面２ｃ）へ移動させる。モニタ移動機構５は、表示モニタ３が外装ケース２の角部２ｇを乗り越えるときに、表示モニタ３を持ち上げながら回動させる。つまり、モニタ移動機構５は、回動中心を変化させながら表示モニタ３を回動させる。そのため、回動させる動作のみで表示モニタ３を上面２ｃから後面２ｂ（又は後面２ｂから上面２ｃ）へ移動させることができる。
【０１０９】
しかも、モニタ移動機構５は、表示モニタ３が外装ケース２の角部２ｇを乗り越えるときに、表示モニタ３を持ち上げながら回動させるため、角部２ｇが丸みを帯びる必要はない。したがって、外装ケース２を直方体などの直線的な外観形状にすることができ、デザイン性の向上を図ることができる。
【０１１０】
また、撮影を行わないときは、外装ケース２の上面２ｃに表示モニタ３を配置させ、撮影を行うときは、表示モニタ３を後面２ｂに配置させることができる。これにより、撮影を行う場合には、表示モニタ３の表示画面２１ａを光学系の光軸と交わる位置に配置することができる。そのため、表示画面２１ａに表示される被写体と、実際の被写体が左右方向にずれることがない。その結果、表示画面２１ａに表示される画像が、空間を切り取って表示されたように見える視覚効果を得ることができる。
【０１１１】
また、撮影を行う場合に表示モニタ３を後面２ｂに配置させるため、右手でも左手でもデジタルビデオカメラ１を把持することができる。しかも、デジタルビデオカメラ１をバランスよく把持することができ、デジタルビデオカメラ１を把持する手にかかる負担を軽減することができる。したがって、デジタルビデオカメラ１を把持する手に震えや揺れが生じることを抑制することできる。
【０１１２】
本実施の形態のデジタルビデオカメラ１によれば、モニタ移動機構５が外装ケース２の内部に設けられ、表示モニタ３に隠れるようになっている。そのため、表示モニタ３のパネルケース２２を、外装ケース２の後面２ｂよりも面積が大きい上面２ｃと略同一の大きさにすることができ、表示画面２１ａの大型化を図ることができる。また、撮影を行わない場合には、デジタルビデオカメラ１を略直方体にして携帯性に優れた形状にすることができる。
【０１１３】
しかも、外装ケース２の上面２ｃに設けられた録画ボタン１６などの各種操作ボタンや、集音孔１４を表示モニタ３によって覆うことができる。したがって、撮影を行わないときには、撮影に必要な各種操作ボタンなどを隠すことができ、デジタルビデオカメラ１の外観をシンプルにすることができる。
【０１１４】
本実施形態のデジタルビデオカメラ１によれば、モニタ回転機構６によって表示モニタ３をモニタ支持部４１上で回転させる。そのため、表示モニタ３を外装ケース２の後面２ｂに配置させる場合に、表示モニタ３の姿勢を、長辺が左右方向に延びる姿勢（第２の姿勢）に変更することができる。これにより、表示モニタ３を外装ケース２の後面２ｂに配置した場合に、表示画面２１ａに表示される画像の上下方向と実際の上下方向とを一致させることができる。
【０１１５】
〈２．第２の実施の形態〉
［撮像装置の外観構成］
次に、本発明の撮像装置の第２の実施の形態を示すデジタルビデオカメラの外観構成について、図９及び図１０を参照して説明する。
【０１１６】
図９は、第２の実施の形態のデジタルビデオカメラの表示モニタを左側面に配置させた状態の斜視図である。図１０は、第２の実施の形態のデジタルビデオカメラの表示モニタを後面に配置させた状態の斜視図である。
【０１１７】
図９及び図１０に示すデジタルビデオカメラ１０１は、第１の実施の形態を示すデジタルビデオカメラ１と同様の構成を有しており、異なるところは、外装ケース１０２とモニタ移動機構の取り付け状態のみである。そのため、ここでは、外装ケース１０２とモニタ移動機構の取り付け状態について説明し、デジタルビデオカメラ１と共通する部分には同一の符号を付して重複した説明を省略する。
【０１１８】
デジタルビデオカメラ１０１は、外装ケース１０２と、表示モニタ３を備えている。外装ケース１０２は、前後方向に長く伸びる略直方体状に形成されている。この外装ケース１０２は、前方に向いた前面１０２ａと、後方に向いた後面１０２ｂと、上面１０２ｃと、下面１０２ｄと、左側面１０２ｅと、右側面１０２ｆを有している。
【０１１９】
本実施の形態において、左側面１０２ｅは、第１の面の一具体例を示し、後面１０２ｂが第２の面の一具体例を示す。左側面１０２ｅと後面１０２ｂは、互いに略直行する平面であり、角部１０２ｇを形成している。また、後面１０２ｂの面積は、左側面１０２ｅの面積よりも小さくなっている。
【０１２０】
外装ケース１０２の前面１０２ａには、レンズ鏡筒の対物レンズが前方に臨むように配置されている。外装ケース１０２の上面１０２ｃには、複数の操作ボタンやマイクロホン用の集音孔（不図示）等が設けられている。操作ボタンとしては、例えば、ズームボタン、録画ボタン、電源ボタン、機能切換ボタンなどを挙げることができる。
【０１２１】
また、外装ケース１０２には、一対の支持部貫通溝１０５ａ，１０５ｂと、接続線貫通溝（不図示）が設けられている。一対の支持部貫通溝１０５ａ，１０５ｂ及び接続線貫通溝は、角部１０２ｇを形成する左側面１０２ｅ及び後面１０２ｂに連続して設けられている。一対の支持部貫通溝１０５ａ，１０５ｂには、モニタ移動機構５の一対のアーム片５２，５３（図６参照）がそれぞれ移動可能に貫通されている。接続線貫通溝には、制御回路と表示モニタ３を電気的に接続する接続線が移動可能に貫通されている。
【０１２２】
［モニタ移動機構］
次に、モニタ移動機構５について、図１１を参照して説明する。
図１１は、デジタルビデオカメラ１０１に係るモニタ移動機構５の取り付け状態を示す説明図である。
【０１２３】
モニタ移動機構５は、表示モニタ３を外装ケース１０２の左側面１０２ｅから後面１０２ｂ又は後面１０２ｂから左側面１０２ｅへ移動させる。モニタ移動機構５は、一対のアーム片５２，５３が上下方向に対向した状態で外装ケース２に配置されている。したがって、モニタ移動機構５のモニタ支持部４１は、外装ケース１０２の左側面１０２ｅから後面１０２ｂ（又は後面１０２ｂから左側面１０２ｅ）へ角部１０２ｇを乗り越えて移動する。
【０１２４】
また、本実施の形態では、表示モニタ３のパネルケース２２がモニタ移動機構５の取付片５１に固定ねじ（不図示）によって固定されている。そのため、表示モニタ３は、取付片５１（モニタ支持部４１）上を回転しない。つまり、デジタルビデオカメラ１０１には、第１の実施の形態のデジタルビデオカメラ１に設けたモニタ回転機構６を備えない構成になっている。
【０１２５】
［第２の実施形態の効果］
本実施の形態のデジタルビデオカメラ１０１によれば、第１の実施の形態のデジタルビデオカメラ１と同様の作用効果を得ることができる。つまり、モニタ移動機構５は、回動中心を変化させながら表示モニタ３を回動させる。そのため、回動させる動作のみで表示モニタ３を外装ケース１０２の左側面１０２ｅから後面１０２ｂ（又は後面１０２ｂから左側面１０２ｅ）へ移動させることができる。
【０１２６】
また、撮影を行わないときは、外装ケース１０２の左側面１０２ｅに表示モニタ３を配置させ、撮影を行うときは、表示モニタ３を後面１０２ｂに配置させることができる。これにより、撮影を行う場合には、表示モニタ３の表示画面２１ａを光学系の光軸と交わる位置に配置することができる。
【０１２７】
また、モニタ移動機構５は、外装ケース１０２の内部に設けられ、表示モニタ３に隠れるようになっている。そのため、表示モニタ３のパネルケース２２を、外装ケース１０２の後面１０２ｂよりも面積が大きい左側面１０２ｅと略同一の大きさにすることができ、表示画面２１ａの大型化を図ることができる。また、撮影を行わない場合には、デジタルビデオカメラ１０１を略直方体にして携帯性に優れた形状にすることができる。
【０１２８】
［変形例］
本発明は、前述しかつ図面に示した実施の形態に限定されるものではなく、その要旨を逸脱しない範囲内で種々の変形実施が可能である。例えば、上述した実施形態においては、撮像装置の一具体例としてデジタルビデオカメラを例に説明したが、本発明の撮像装置としては、デジタルスチルカメラ、その他各種の撮像装置にも適用できる。
【０１２９】
上述した実施の形態では、デジタルビデオカメラがハードディスクドライブを備える構成とした。そして、固体撮像素子３２で変換された画像信号をハードディスクドライブに格納する構成とした。しかしながら、本発明に係る撮像装置としては、ディスク状記録媒体やテープ状記憶媒体などの情報記憶媒体に画像信号を記録する構成としてもよい。
【０１３０】
上述した実施の形態では、パネルケース２２に設けた回転用レール６１，６２と、モニタ支持部４１に設けた固定軸５４Ａ〜５４Ｃによってモニタ回転機構６を構成した。しかしながら、本発明に係るモニタ回転機構は、表示モニタ３をモニタ支持部４１上で回転させるその他の機構を適用してもよい。その他のモニタ回転機構としては、例えば、パネルケース２２に固定された回転軸と、モニタ支持部４１に設けられ、回転軸を回転可能に支持する軸受から構成することができる。
【０１３１】
上述した実施の形態では、移動機構用付勢部材として引張りコイルばね５９Ａ，５９Ｂを用いる構成としたが、本発明に係る移動機構用付勢部材としては、板ばね、ゴム部材等の弾性体を使用してもよい。
【０１３２】
上述した実施の形態では、ガイド部４２に第１の移動用レール４３ａ，４４ａと、第２の移動用レール４３ｂ，４４ｂを設けた。しかしながら、本発明に係るガイド部としては、第１の移動用レールと第２の移動用レールをそれぞれ１つ設ける構成としてもよい。
【図面の簡単な説明】
【０１３３】
【図１】本発明の撮像装置の第１の実施の形態を示すデジタルビデオカメラの表示モニタを上面に配置させた状態の斜視図である。
【図２】本発明の撮像装置の第１の実施の形態を示すデジタルビデオカメラの表示モニタを後面に配置させた状態の斜視図である。
【図３】図１に示す状態のデジタルビデオカメラの外装ケースの左側面と、パネルケースの上面部を取り除いた斜視図である。
【図４】図２に示す状態のデジタルビデオカメラの外装ケースの左側面と、パネルケースの上面部を取り除いた斜視図である。
【図５】本発明の撮像装置の第１の実施の形態を示すデジタルビデオカメラに係るモニタ移動機構及びモニタ回転機構の斜視図である。
【図６】本発明の撮像装置の第１の実施の形態を示すデジタルビデオカメラに係るモニタ移動機構及びモニタ回転機構の分解斜視図である。
【図７】本発明の撮像装置の第１の実施の形態を示すデジタルビデオカメラに係るモニタ回転機構による表示モニタの動作を示す説明図である。
【図８】本発明の撮像装置の第１の実施の形態を示すデジタルビデオカメラに係るモニタ移動機構による表示モニタの動作を示す説明図である。
【図９】本発明の撮像装置の第２の実施の形態を示すデジタルビデオカメラの表示モニタを左側面に配置させた状態の斜視図である。
【図１０】本発明の撮像装置の第２の実施の形態を示すデジタルビデオカメラの表示モニタを後面に配置させた状態の斜視図である。
【図１１】本発明の撮像装置の第２の実施の形態を示すデジタルビデオカメラに係るモニタ移動機構の取り付け状態を示す説明図である。
【符号の説明】
【０１３４】
１…デジタルビデオカメラ（撮像装置）、  ２…外装ケース、  ２ａ…前面、  ２ｂ…後面（第２の面）、  ２ｃ…上面（第１の面）、  ２ｇ…角部、  ３…表示モニタ、  ４…レンズ鏡筒、  ５…モニタ移動機構、  ６…モニタ回転機構、  １８ａ，１８ｂ…支持部貫通溝、  ２１…平面表示パネル、  ２１ａ…表示画面、  ２２…パネルケース、  ４１…モニタ支持部、  ４２…ガイド部、  ４３，４４…ガイド板、  ４３ａ，４４ａ…第１の移動用レール、  ４３ｂ，４４ｂ…第２の移動用レール、  ４５…連結板、  ４６…取付板、  ４８Ａ,４８Ｂ…固定ピン、  ５１…取付片、  ５２,５３…アーム片、  ５４Ａ,５４Ｂ,５４Ｃ…固定軸、  ５６Ａ,５６Ｂ…第１の係合ピン、  ５７Ａ,５７Ｂ…第２の係合ピン、  ５９Ａ,５９Ｂ…引張りコイルばね（移動機構用付勢部材）  ６１…第１の回転用レール、  ６２…第２の回転用レール、  ７１…回転用付勢部、  ７２…リンクアーム、  ７３…リンクガイド、  ７４…引張りコイルばね、  １０１…デジタルビデオカメラ（撮像装置）、  １０２…外装ケース、  １０２ａ…前面、  １０２ｂ…後面（第２の面）、  １０２ｅ…左側面（第１の面）、  １０２ｇ…角部
【図１】
2010141743.tif 000003
【図２】
2010141743.tif 000004
【図３】
2010141743.tif 000005
【図４】
2010141743.tif 000006
【図５】
2010141743.tif 000007
【図６】
2010141743.tif 000008
【図７】
2010141743.tif 000009
【図８】
2010141743.tif 000010
【図９】
2010141743.tif 000011
【図１０】
2010141743.tif 000012
【図１１】
2010141743.tif 000013